(57)【要約】【課題】  消費電流を抑え、品質の良い基地局へのハンドオーバの切替えを早く行うことが可能な携帯情報端末装置を提供する。【解決手段】  ハンドオーバした時に、主制御部１４はリアルタイムクロック１９から現在時刻を取得し、主制御部１４はＲＡＭ１６に格納されたハンドオーバ履歴データから現在時刻に対応する在圏セルを取得する。主制御部１４はこれらのコードのうち、回数が一定の値以上のものを有効なデータとし、有効なデータのコードのみを予測セルのコードとして使用する。主制御部１４は報知情報を受信すると、予測セルのコードが報知情報で受信した周辺セルの情報に存在する場合、その予測セルの受信電力のみの監視を行う。主制御部１４は在圏セルである基地局の受信電力よりも予測セルである基地局の受信電力の方が大きくなると、基地局に対してハンドオーバの要求を送信する。【選択図】      図１                                                  
2005184160.tif 000002
【特許請求の範囲】
【請求項１】
携帯情報端末装置において在圏セルの報知情報に含まれる周辺セルのコードを基に周辺の基地局の中から受信電力の最も大きい基地局を移動先の基地局候補として決定し、前記在圏セルの基地局に対してハンドオーバ依頼を送信する無線通信システムであって、
ハンドオーバの履歴を格納する格納手段と、前記格納手段の履歴に基づいて前記ハンドオーバする確率の高い予測セルをハンドオーバ先のセルとして予測する手段と、前記予測セルのみの監視を行う監視手段とを前記携帯情報端末装置に有することを特徴とする無線通信システム。
【請求項２】
前記格納手段は、少なくとも前記ハンドオーバ先のコードと、前記ハンドオーバの時刻と、前記ハンドオーバの回数とを前記ハンドオーバの履歴として格納することを特徴とする請求項１記載の無線通信システム。
【請求項３】
前記ハンドオーバ完了時に当該ハンドオーバの完了時刻と前記ハンドオーバ先のセルのコードと前記ハンドオーバの回数とを前記格納手段に前記ハンドオーバの履歴として格納する手段を含むことを特徴とする請求項２記載の無線通信システム。
【請求項４】
前記予測セルを予測する手段は、前記格納手段から現在時刻に対応するセルのコード及び回数を取得し、これらのコードのうちの回数が一定の値以上のものを前記ハンドオーバ先のセルとして予測することを特徴とする請求項２または請求項３記載の無線通信システム。
【請求項５】
前記監視手段は、前記予測セルが存在しない場合に前記周辺の基地局の中から受信電力の最も大きい基地局を移動先の基地局候補として決定することを特徴とする請求項１から請求項４のいずれか記載の無線通信システム。
【請求項６】
前記予測セルの通信状態が劣化した時に前記周辺の基地局の中から受信電力の最も大きい基地局を移動先の基地局候補として決定することを特徴とする請求項１から請求項５のいずれか記載の無線通信システム。
【請求項７】
在圏セルの報知情報に含まれる周辺セルのコードを基に周辺の基地局の中から受信電力の最も大きい基地局を移動先の基地局候補として決定し、前記在圏セルの基地局に対してハンドオーバ依頼を送信する携帯情報端末装置であって、
ハンドオーバの履歴を格納する格納手段と、前記格納手段の履歴に基づいて前記ハンドオーバする確率の高い予測セルをハンドオーバ先のセルとして予測する手段と、前記予測セルのみの監視を行う監視手段とを有することを特徴とする携帯情報端末装置。
【請求項８】
前記格納手段は、少なくとも前記ハンドオーバ先のコードと、前記ハンドオーバの時刻と、前記ハンドオーバの回数とを前記ハンドオーバの履歴として格納することを特徴とする請求項７記載の携帯情報端末装置。
【請求項９】
前記ハンドオーバ完了時に当該ハンドオーバの完了時刻と前記ハンドオーバ先のセルのコードと前記ハンドオーバの回数とを前記格納手段に前記ハンドオーバの履歴として格納する手段を含むことを特徴とする請求項８記載の携帯情報端末装置。
【請求項１０】
前記予測セルを予測する手段は、前記格納手段から現在時刻に対応するセルのコード及び回数を取得し、これらのコードのうちの回数が一定の値以上のものを前記ハンドオーバ先のセルとして予測することを特徴とする請求項８または請求項９記載の携帯情報端末装置。
【請求項１１】
前記監視手段は、前記予測セルが存在しない場合に前記周辺の基地局の中から受信電力の最も大きい基地局を移動先の基地局候補として決定することを特徴とする請求項７から請求項１０のいずれか記載の携帯情報端末装置。
【請求項１２】
前記予測セルの通信状態が劣化した時に前記周辺の基地局の中から受信電力の最も大きい基地局を移動先の基地局候補として決定することを特徴とする請求項７から請求項１１のいずれか記載の携帯情報端末装置。
【請求項１３】
携帯情報端末装置において在圏セルの報知情報に含まれる周辺セルのコードを基に周辺の基地局の中から受信電力の最も大きい基地局を移動先の基地局候補として決定し、前記在圏セルの基地局に対してハンドオーバ依頼を送信する無線通信システムのハンドオーバ解決方法であって、前記携帯情報端末装置側に、ハンドオーバの履歴を格納手段に格納するステップと、前記格納手段の履歴に基づいて前記ハンドオーバする確率の高い予測セルをハンドオーバ先のセルとして予測するステップと、前記予測セルのみの監視を行うステップとを有することを特徴とするハンドオーバ解決方法。
【請求項１４】
前記格納手段は、少なくとも前記ハンドオーバ先のコードと、前記ハンドオーバの時刻と、前記ハンドオーバの回数とを前記ハンドオーバの履歴として格納することを特徴とする請求項１３記載のハンドオーバ解決方法。
【請求項１５】
前記ハンドオーバ完了時に当該ハンドオーバの完了時刻と前記ハンドオーバ先のセルのコードと前記ハンドオーバの回数とを前記格納手段に前記ハンドオーバの履歴として格納するステップを含むことを特徴とする請求項１４記載のハンドオーバ解決方法。
【請求項１６】
前記予測セルを予測するステップは、前記格納手段から現在時刻に対応するセルのコード及び回数を取得し、これらのコードのうちの回数が一定の値以上のものを前記ハンドオーバ先のセルとして予測することを特徴とする請求項１４または請求項１５記載のハンドオーバ解決方法。
【請求項１７】
前記予測セルのみの監視を行うステップは、前記予測セルが存在しない場合に前記周辺の基地局の中から受信電力の最も大きい基地局を移動先の基地局候補として決定することを特徴とする請求項１３から請求項１６のいずれか記載のハンドオーバ解決方法。
【請求項１８】
前記予測セルの通信状態が劣化した時に前記周辺の基地局の中から受信電力の最も大きい基地局を移動先の基地局候補として決定することを特徴とする請求項１３から請求項１７のいずれか記載のハンドオーバ解決方法。
【請求項１９】
携帯情報端末装置において在圏セルの報知情報に含まれる周辺セルのコードを基に周辺の基地局の中から受信電力の最も大きい基地局を移動先の基地局候補として決定し、前記在圏セルの基地局に対してハンドオーバ依頼を送信する無線通信システムのハンドオーバ解決方法のプログラムであって、コンピュータに、ハンドオーバの履歴を格納手段に格納する処理と、前記格納手段の履歴に基づいて前記ハンドオーバする確率の高い予測セルをハンドオーバ先のセルとして予測する処理と、前記予測セルのみの監視を行う処理とを実行させるためのプログラム。
【発明の詳細な説明】
【技術分野】
【０００１】
本発明は無線通信システム、携帯情報端末装置及びそれに用いるハンドオーバ解決方法並びにそのプログラムに関し、特にセルラー無線通信システムに用いられる携帯電話機のハンドオーバ解決方法に関する。
【背景技術】
【０００２】
従来、セルラー無線通信システムにおいては、通信サービスを提供するエリアをいくつかのセルに分割して各セル内に基地局を設置し、移動局（以下、端末といる）の移動時において無線品質の良い基地局に切替えていくことによって、端末の最もよい待ち受け状態を確保するように制御している。
【０００３】
また、端末は自端末が存在するセル（在圏セル）の基地局との接続状態を継続すると同時に、在圏セル周辺の複数個のセルの無線状態を監視している。端末は在圏セルの報知情報に含まれる周辺セルのコードを基に、周辺の基地局から送信される制御チャネルのパイロット信号を受信している。
【０００４】
端末はそのパイロット信号の受信電力を測定し、受信電力の最も大きい基地局を移動先の基地局候補として決定し、在圏セルの基地局に対して基地局の切替え依頼を送信する。
【０００５】
基地局は端末からの切替え依頼に基づいて切替えを実行するか否かを判断し、実行すべきと判断した場合、基地局の切替えを行う。この動作がハンドオーバと呼ばれている。この時、端末は複数のセルを監視したにもかかわらず、一つのセルにハンドオーバするため、ハンドオーバ先以外のセルの監視動作は無駄になる。
【０００６】
また、端末が訪れるセルは端末の所有者の行動パターンによってある程度一定の傾向を示すことが普通である。例えば、自宅から勤務先までの移動にはほぼ一定の時刻に一定のルートがとられており、端末もほぼ一定の規則で周辺セルの監視やハンドオーバを行っている。
【０００７】
このため、従来の方法では、端末が移動中にセルの監視を行ったにもかかわらず、位置登録が行われない基地局が一定の規則で存在している。この問題を解決するために、端末はハンドオーバ実行時の時刻、ハンドオーバ先のセルのコード、回数を記憶し、これらのデータを基に次回のハンドオーバ先の基地局を予測する。
【０００８】
在圏セルの報知情報には予測セルのコードが含まれており、周辺セルの監視の結果、予測セルが検出された場合、それ以外のセルの監視を中止する。予測が当たり、監視しているセルの通信状態が現在位置登録されているセルよりも良好になった場合、端末は在圏セルの基地局に対してハンドオーバの依頼を送信する。
【０００９】
基地局は端末からのハンドオーバの依頼に基づいてハンドオーバの判断を行い、実行すべきと判断した場合、ハンドオーバを実行する。予測が外れ、監視しているセルの通信状態が劣化してきた場合、端末は周辺セルの監視を再開し、従来の方法に基づいてハンドオーバを行う。
【００１０】
【特許文献１】特開２００２−２３２９２８号公報
【特許文献２】特開２００１−１１９７４２号公報
【発明の開示】
【発明が解決しようとする課題】
【００１１】
上述した従来のセルラー無線通信システムでは、端末が複数のセル間を移動する際にそなえ、端末が在圏するセルの周辺セルの通信状態を監視しているが、端末が移動する上でハンドオーバできる基地局がその中の一つであり、監視を行ったものの、実際にハンドオーバが行われないセルが多数存在している。
【００１２】
また、端末の利用者の移動パターンはある程度一定の傾向を示すことが普通である。例えば、自宅から勤務先に移動する際も、電車やバスを利用した際には路線上を規則的に通過することになる。
【００１３】
この場合、常に路線付近の基地局から路線付近の基地局に一定のパターンでハンドオーバすることになる。それにもかかわらず、端末は常に周辺セルを監視しているため、端末の消費電流を無駄に消費してしまい、ハンドオーバ動作に時間がかかってしまう。
【００１４】
そこで、本発明の目的は上記の問題点を解消し、消費電流を抑えることができ、品質の良い基地局へのハンドオーバの切替えを早くすることができる無線通信システム、携帯情報端末装置及びそれに用いるハンドオーバ解決方法並びにそのプログラムを提供することにある。
【課題を解決するための手段】
【００１５】
本発明による無線通信システムは、携帯情報端末装置において在圏セルの報知情報に含まれる周辺セルのコードを基に周辺の基地局の中から受信電力の最も大きい基地局を移動先の基地局候補として決定し、前記在圏セルの基地局に対してハンドオーバ依頼を送信する無線通信システムであって、
ハンドオーバの履歴を格納する格納手段と、前記格納手段の履歴に基づいて前記ハンドオーバする確率の高い予測セルをハンドオーバ先のセルとして予測する手段と、前記予測セルのみの監視を行う監視手段とを前記携帯情報端末装置に備えている。
【００１６】
本発明による携帯情報端末装置は、在圏セルの報知情報に含まれる周辺セルのコードを基に周辺の基地局の中から受信電力の最も大きい基地局を移動先の基地局候補として決定し、前記在圏セルの基地局に対してハンドオーバ依頼を送信する携帯情報端末装置であって、
ハンドオーバの履歴を格納する格納手段と、前記格納手段の履歴に基づいて前記ハンドオーバする確率の高い予測セルをハンドオーバ先のセルとして予測する手段と、前記予測セルのみの監視を行う監視手段とを備えている。
【００１７】
本発明によるハンドオーバ解決方法は、携帯情報端末装置において在圏セルの報知情報に含まれる周辺セルのコードを基に周辺の基地局の中から受信電力の最も大きい基地局を移動先の基地局候補として決定し、前記在圏セルの基地局に対してハンドオーバ依頼を送信する無線通信システムのハンドオーバ解決方法であって、前記携帯情報端末装置側に、ハンドオーバの履歴を格納手段に格納するステップと、前記格納手段の履歴に基づいて前記ハンドオーバする確率の高い予測セルをハンドオーバ先のセルとして予測するステップと、前記予測セルのみの監視を行うステップとを備えている。
【００１８】
本発明によるハンドオーバ解決方法のプログラムは、携帯情報端末装置において在圏セルの報知情報に含まれる周辺セルのコードを基に周辺の基地局の中から受信電力の最も大きい基地局を移動先の基地局候補として決定し、前記在圏セルの基地局に対してハンドオーバ依頼を送信する無線通信システムのハンドオーバ解決方法のプログラムであって、コンピュータに、ハンドオーバの履歴を格納手段に格納する処理と、前記格納手段の履歴に基づいて前記ハンドオーバする確率の高い予測セルをハンドオーバ先のセルとして予測する処理と、前記予測セルのみの監視を行う処理とを実行させている。
【００１９】
すなわち、本発明の無線通信システムは、無線通信制御部を内蔵した携帯情報端末装置において、端末が時間情報を含むハンドオーバした履歴に基づいてハンドオーバ先のセルを予測し、ハンドオーバする確率の低いセルの監視を行わないことによって、携帯情報端末装置の消費電流を削減させる手段を実現することを特徴とする。
【００２０】
これによって、本発明の無線通信システムは、現在時刻に対応する過去のハンドオーバ履歴に基づいて在圏セルからのハンドオーバ先のセルを予測することが可能となるため、周辺セルの監視を予測セルのみに絞ることが可能となる。
【００２１】
よって、本発明の無線通信システムでは、ハンドオーバする確率の低いセルの監視を行わないことで、携帯情報端末装置の消費電流を抑え、品質の良い基地局へのハンドオーバの切替えを早くすることが可能となる。
【発明の効果】
【００２２】
本発明は、以下に述べるような構成及び動作とすることで、消費電流を抑えることができ、品質の良い基地局へのハンドオーバの切替えを早くすることができるという効果が得られる。
【発明を実施するための最良の形態】
【００２３】
次に、本発明の実施例について図面を参照して説明する。図１は本発明の一実施例による携帯電話機の構成を示すブロック図である。図１において、携帯電話機（携帯情報端末装置）１はアンテナ１１と、無線送受信部１２と、無線データ制御部１３と、主制御部１４と、プログラムＲＯＭ（リードオンリメモリ）１５と、ＲＡＭ（ランダムアクセスメモリ）１６と、表示部１７と、操作入力部１８と、リアルタイムクロック１９と、音声処理部２０と、スピーカ２１と、マイク２２と、レシーバ２３とから構成されている。
【００２４】
アンテナ１１は図示せぬ基地局と携帯電話機１との間で無線信号を送受信し、無線送受信部１２は送受信した無線信号を変復調し、基地局からの無線信号にしたがった動作を行う。無線データ制御部１３は予め登録された自己の無線情報にしたがって送信データを主制御部１４から受取り、無線送受信部１２に送出するとともに、無線を介して受信したデータを主制御部１４に与える。
【００２５】
プログラムＲＯＭ１５は主制御部１４が実行するプログラムを格納し、ＲＡＭ１６はハンドオーバ履歴のデータ等を格納する。表示部１７は電話番号や時計等を表示し、操作入力部１８は使用者が電話番号の入力等の各種操作を行うためのキースイッチである。
【００２６】
リアルタイムクロック１９は時刻情報を主制御部１４に供給する。音声処理部２０は音声信号を変換し、スピーカ２１は着信音を出力し、マイク２２は使用者の音声を入力する。レシーバ２３は通話相手の音声を出力する。
【００２７】
図２は本発明の一実施例によるセルラー無線通信システムの概要を示す図である。図２においては、基地局（Ａ）２−１〜基地局（Ｊ）２−１０のような基地局配置において、セル（Ａ）１０１〜セル（Ｊ）１１０のように構成されるサービスエリア内を、端末１が移動ルート１１２に沿って移動している状態を示している。尚、端末１は上記の携帯電話機１と同様の構成となっている。
【００２８】
図３は図２の端末１におけるハンドオーバ処理例を示すフローチャートである。これら図１〜図３を参照して端末１におけるハンドオーバ処理について説明する。ここで、端末１がセル（Ｄ）１０４に在圏し［以下、在圏セル（Ｄ）１０４とする］、在圏セル（Ｄ）１０４の受信電力をＰｄ、在圏セル（Ｄ）１０４の時のセル（Ａ）１０１の受信電力をＰｄａ、セル（Ｂ）１０２の受信電力をＰｄｂ、セル（Ｃ）１０３の受信電力をＰｄｃ、セル（Ｅ）１０５の受信電力をＰｄｅ、セル（Ｆ）１０６の受信電力をＰｄｆ、セル（Ｇ）１０７の受信電力をＰｄｇとする。
【００２９】
まず、端末１は基地局（Ａ）２−１〜基地局（Ｊ）２−１０の中から最も受信電力が高い基地局［本実施例では基地局（Ｄ）２−４］を選択し、選択した基地局（Ｄ）２−４と無線回線を確立する。
【００３０】
その際、端末１は基地局（Ｄ）２−４と無線回線を確立するために報知情報を受信する（図３ステップＳ１）。この報知情報には、在圏セル（Ｄ）１０４の周辺に存在するセル（Ａ）１０１、セル（Ｂ）１０２、セル（Ｃ）１０３、セル（Ｅ）１０５、セル（Ｆ）１０６、セル（Ｇ）１０７のコードが含まれており、端末１はセル（Ａ）１０１、セル（Ｂ）１０２、セル（Ｃ）１０３、セル（Ｅ）１０５、セル（Ｆ）１０６、セル（Ｇ）１０７各々の受信電力Ｐｄａ、Ｐｄｂ、Ｐｄｃ、Ｐｄｅ、Ｐｄｆ、Ｐｄｇの監視を開始する（図３ステップＳ２，Ｓ５，Ｓ８，Ｓ１１，Ｓ１４，Ｓ１７）。
【００３１】
端末１が移動ルート１１２に沿って移動し、ポイント１１１まで来た時点で在圏セル（Ｄ）１０４の受信電力ＰｄよりセルＧの受信電力Ｐｄｇの方が高くなったとすると（図３ステップＳ１８）、端末１はハンドオーバ依頼の信号を基地局（Ｄ）２−４に対して送信する。基地局（Ｄ）２−４は端末１からのハンドオーバ依頼の信号に基づいてハンドオーバを実行するかを判断し、実行すべきと判断した場合にハンドオーバを実行する（図３ステップＳ１９）。
【００３２】
同様に、上記のシステムでは、在圏セル（Ｄ）１０４の受信電力Ｐｄよりセル（Ａ）１０１、セル（Ｂ）１０２、セル（Ｃ）１０３、セル（Ｅ）１０５、セル（Ｆ）１０６各々の受信電力Ｐｄａ、Ｐｄｂ、Ｐｄｃ、Ｐｄｅ、Ｐｄｆ、Ｐｄｇが高くなると（図３ステップＳ３，Ｓ６，Ｓ９，Ｓ１２，Ｓ１５）、端末１はハンドオーバ依頼の信号を基地局（Ｄ）２−４に対して送信する。基地局（Ｄ）２−４は端末１からのハンドオーバ依頼の信号に基づいてハンドオーバを実行するかを判断し、実行すべきと判断した場合にハンドオーバを実行する（図３ステップＳ４，Ｓ７，Ｓ１０，Ｓ１３，Ｓ１６）。
【００３３】
ところで、このようなシステムにおいては、セル（Ｄ）１０４に在圏している間、端末１は常にセル（Ａ）１０１、セル（Ｂ）１０２、セル（Ｃ）１０３、セル（Ｅ）１０５、セル（Ｆ）１０６、セル（Ｇ）１０７各々の受信電力Ｐｄａ、Ｐｄｂ、Ｐｄｃ、Ｐｄｅ、Ｐｄｆ、Ｐｄｇの監視を行っている（図３ステップＳ２，Ｓ５，Ｓ８，Ｓ１１，Ｓ１４，Ｓ１７）。
【００３４】
しかしながら、端末１が移動ルート１１２に沿って移動した場合、ハンドオーバは基地局（Ｄ）２−１と基地局（Ｇ）２−７との間でしか発生しない。つまり、セル（Ａ）１０１、セル（Ｂ）１０２、セル（Ｃ）１０３、セル（Ｅ）１０５、セル（Ｆ）１０６の監視を行わなくても、無線確立状態が切断されることはないばかりか、ハンドオーバが行われない基地局の監視を行うことで、端末１の消費電流が増加するうえに、品質のよい基地局へのハンドーオーバ動作にも時間がかかってしまう。
【００３５】
図４は本発明の一実施例による在圏セルリストの格納例を示す図である。図４において、在圏セルリスト｛「セルＡ［１００］、セルＤ［８０］、セルＧ［７０］、セルＸ［１］、・・・」、「セルＤ［９０］、セルＧ［３０］、セルＡ［２０］、セルＹ［１］、・・・」、「セルＧ［９０］、セルＤ［２０］、セルＡ［１０］、セルＺ［１］、・・・」｝は時刻データ（「７：５０」、「８：００」、「８：１０」）とともに格納されている。
【００３６】
図５は本発明の一実施例によるハンドオーバ処理を示すフローチャートである。これら図１と図２と図４と図５とを参照して本発明の一実施例によるハンドオーバ処理について説明する。尚、図５に示す処理は主制御部１４がプログラムＲＯＭ１５のプログラムを実行することで実現される。
【００３７】
まず、端末１がルート１１２上を移動することによって、セル（Ａ）１０１からセル（Ｄ）１０４にハンドオーバした時に、主制御部１４はリアルタイムクロック１９から現在時刻（８：００）を取得する（図５ステップＳ２１，Ｓ２２）。
【００３８】
次に、主制御部１４はＲＡＭ１６に格納されたハンドオーバ履歴データから現在時刻（８：００）に対応する在圏セル（セルＤ、セルＧ、セルＡ、セルＹ）のコード及び回数（［］の数字）（図４参照）を取得する。主制御部１４はこれらのコードのうち、回数が一定の値以上のものを有効なデータとし、有効なデータのコードのみを予測セルのコードとして使用する（図５ステップＳ２３）。
【００３９】
主制御部１４は報知情報を受信すると（図５ステップＳ２４）、予測セルのコードが報知情報で受信した周辺セルの情報に存在するかを確認する（図５Ｓ２５，Ｓ２６）。本実施例ではセル（Ｇ）１０７のコードが報知情報に存在するものとする。主制御部１４は予測セルのコードが報知情報に存在する場合、その予測セルの受信電力Ｐｄｇのみの監視を行う（図５ステップＳ２７）。
【００４０】
端末１が移動ルート１１２上を移動することによって、在圏セルである基地局（Ｄ）２−４の受信電力Ｐｄよりも予測セルである基地局（Ｇ）２−７の受信電力Ｐｄｇの方が大きくなった場合（図５ステップＳ２８）、主制御部１４は基地局（Ｄ）２−４に対してハンドオーバの要求を送信する。基地局（Ｄ）は端末１からの要求に対してハンドオーバの判断を行い、実行すべきと判断した場合に予測セル（Ｇ）１０７にハンドオーバを行う（図５ステップＳ２９）。
【００４１】
端末１はハンドオーバ完了時に、ハンドオーバ完了時刻と、ハンドオーバ先のセルのコードと、ハンドオーバ回数とをハンドオーバ履歴情報としてＲＡＭ１６に記録する（図５ステップＳ３０）。
【００４２】
また、予測セル（Ｇ）１０７の受信電力Ｐｄｇのみの監視を行っている間に予測セル（Ｇ）１０７の受信電力Ｐｄｇが一定のレベルＰｃより低下した場合（図５ステップＳ３１）、主制御部１４は報知情報に含まれる周辺セル情報にしたがって周辺セルを監視し、監視結果に基づいてハンドオーバを行うことで（図５ステップＳ３２）、利用者が移動ルート１１２とは別のルート上を移動した場合でも、待ち受け状態を確保することできる。
【００４３】
この時、主制御部１４はハンドオーバ完了時刻と、ハンドオーバ先のセルのコードと、ハンドオーバ回数とをハンドオーバ履歴情報としてＲＡＭ１６に記録する（図５ステップＳ３３）。
【００４４】
また、予測セルを検索した結果、予測セルが存在しなかった場合（図５ステップＳ２５）、主制御部１４は従来の方法にしたがって、報知情報の内容を基に周辺セルを監視し、監視結果に基づいて基地局の切替えを行う（図５ステップＳ３２）。
【００４５】
この場合にも、ハンドオーバ完了時に、主制御部１４はハンドオーバ完了時刻と、ハンドオーバ先のセルのコードと、ハンドオーバ回数とをハンドオーバ履歴情報としてＲＡＭ１６に記録する（図５ステップＳ３３）。
【００４６】
このように、本実施例では、現在時刻に対応する過去のハンドオーバ履歴に基づいて在圏セルからのハンドオーバ先のセルを予測することができるため、周辺セルの監視を予測セルのみに絞ることができる。
【００４７】
これによって、本実施例では、ハンドオーバする確率の低いセルの監視を行わないことで、端末１の消費電流を抑えることができ、品質の良い基地局へのハンドオーバへの切替えも早くすることができる。
【図面の簡単な説明】
【００４８】
【図１】本発明の一実施例による携帯電話機の構成を示すブロック図である。
【図２】本発明の一実施例によるセルラー無線通信システムの概要を示す図である。
【図３】図２の端末におけるハンドオーバ処理例を示すフローチャートである。
【図４】本発明の一実施例による在圏セルリストの格納例を示す図である。
【図５】本発明の一実施例によるハンドオーバ処理を示すフローチャートである。
【符号の説明】
【００４９】
１  携帯電話機（端末）
２−１〜２−１０  基地局（Ａ）〜（Ｊ）
１１  アンテナ
１２  無線送受信部
１３  無線データ制御部
１４  主制御部
１５  プログラムＲＯＭ
１６  ＲＡＭ
１７  表示部
１８  操作入力部
１９  リアルタイムクロック
２０  音声処理部
２１  スピーカ
２２  マイク
２３  レシーバ
１０１〜１１０  セル（Ａ）〜（Ｊ）
１１１  ポイント
１１２  移動ルート
【図１】
2005184160.tif 000003
【図２】
2005184160.tif 000004
【図３】
2005184160.tif 000005
【図４】
2005184160.tif 000006
【図５】
2005184160.tif 000007